【手続補正書】
【提出日】平成19年3月5日(2007.3.5)
【手続補正１】
【補正対象書類名】明細書
【補正対象項目名】特許請求の範囲
【補正方法】変更
【補正の内容】
【特許請求の範囲】
【請求項１】注射可能品質の流体を製造するための携帯装置であって、
入口から出口へ通じる流体流路を形成するハウジングと、
前記ハウジング内において前記流体流路に沿って設けられたデプスフィルトレーションステージと、
前記ハウジング内において前記流体流路に沿って設けられた有機濾過部材と、
前記ハウジング内において前記流体流路に沿って設けられた脱イオン樹脂ベッドと、
前記ハウジング内において前記流体流路に沿って設けられ、約０．５μmより小さい空隙度を有しエンドトキシンを保持するように形成された透過性メンブレンと
を備えた携帯装置。
【請求項２】  前記透過性メンブレンが、約０．２μmより小さいか又は等しい空隙度を有する精密濾過膜を備えている請求項１に記載の装置。
【請求項３】  前記精密濾過膜が、エンドトキシン結合トリートメントを含んだものである請求項２に記載の装置。
【請求項４】  前記エンドトキシン結合トリートメントが、第４級アミン交換化学を含んでいる請求項３に記載の装置。
【請求項５】  前記透過性メンブレンが、さらに、約０．２２μmより小さいか又は等しい空隙度と、第４級アミン交換化学を有する第２の精密濾過膜を備えている請求項４に記載の装置。
【請求項６】  前記透過性メンブレンが、約１００００と３００００の間の分子量の公称カットオフ空隙度を有する限外濾過膜を備えている請求項１に記載の装置。
【請求項７】  前記透過性メンブレンが、約１５０００と２５０００の間の分子量の公称カットオフ空隙度を有する限外濾過膜を備えている請求項６に記載の装置。
【請求項８】  前記デプスフィルトレーションステージが、該デプスフィルトレーションステージの入口端から出口端にかけて次第に低下する空隙度を有する少なくとも２つのパーティクルフィルタを備えている請求項１に記載の装置。
【請求項９】  前記デプスフィルトレーションステージが、１００μm、４０μm、１０μm及び１μmのパーティクルフィルタを順番に備えている請求項８に記載の装置。
【請求項１０】  前記脱イオン樹脂ベッドが、陰イオン交換体と陽イオン交換体の混合ベッドを備えている請求項１に記載の装置。
【請求項１１】  前記透過性メンブレンが、出口に近いターミナルフィルタとして働く請求項１に記載の装置。
【請求項１２】  前記ハウジングの出口に接続されたコレクション／デリバリーデバイスをさらに備えた請求項１に記載の装置。
【請求項１３】  前記ハウジングが、不可逆的なロッキング機構により前記コレクション／デリバリーデバイスに接続されている請求項１２に記載の装置。
【請求項１４】  前記コレクション／デリバリーデバイスが、注射可能溶液に適している乾燥した試薬を収容した試薬カートリッジを備えている請求項１３に記載の装置。
【請求項１５】  前記コレクション／デリバリーデバイスが、溶接されたチューブを介して前記ハウジングに接続された精製水貯蔵コンテナを備えている請求項１２に記載の装置。
【請求項１６】  前記ハウジングが、約６インチより短い長さを有し、前記流体流路が、約２０平方インチより小さい断面積を有している請求項１に記載の装置。
【請求項１７】  前記ハウジングを通過した水が、１ppmより少ない総有機物含有量、約５．０μSiemensより小さい導電率、約４．５と７．５の間のｐＨ、約１２粒子／mLより少ない１０μm未満の粒子、及び約０．０２５ng/mLより少ないエンドトキシンを有している請求項１に記載の装置。
【請求項１８】  前記ハウジングを通過した水が、５００ppbより少ない総有機物含有量、約２．０μSiemensより小さい導電率、約５．０と７．０との間のｐＨ、約６粒子／mLより少ない１０μm未満の粒子、及び０．０２５ng/mLより少ないエンドトキシンを有している請求項１７に記載の装置。
【請求項１９】  前記デプスフィルトレーションステージが、前記ハウジング内の前記有機濾過部材、前記脱イオン樹脂ベッド及び透過性メンブレンが、約５psiと１０psiの間のフィード圧の下で約３０mL/分より多い流量を可能とするのに充分な低い背圧を与える請求項１に記載の装置。
【請求項２０】  前記デプスフィルトレーションステージが、前記ハウジング内の前記有機濾過部材、前記脱イオン樹脂ベッド及び透過性メンブレンが、約５psiと１０psiの間の供給圧の下で約９０mL/分より多い流量を可能とするのに充分な低い背圧を与える請求項１に記載の装置。
【請求項２１】  複数の精製エレメントを直列に囲むハウジングを備えた携帯精製パックを提供し、
約２０psiより小さいフィード圧で前記ハウジングの入口に非滅菌水を供給し、
該水を前記複数の精製エレメントに通し、
人体への注射に適した有機物含有量、導電率、ｐＨ値及び粒子汚染レベルを有する精製された水を、前記ハウジングの出口から取りだす、
注射可能品質の水の製造方法。
【請求項２１】  前記精製された水に試薬を溶解させる工程をさらに備えた請求項２１に記載の方法。
【請求項２３】  前記精製された水に試薬を溶解する工程が、医療用溶液を製造するのに適した乾燥製剤を収容した試薬カートリッジに、前記精製された水を前記出口から送ることを含む請求項２２に記載の方法。
【請求項２４】  前記医療用溶液が、腹膜透析液を含んでいる請求項２３に記載の方法。
【請求項２５】  前記精製された水の排出量が、約３０mL/分より大きい流量である請求項２１に記載の方法。
【請求項２６】  前記精製された水の排出量が、約１００mL/分より大きい流量である請求項２５に記載の方法。
【請求項２７】  前記フィード圧が、約５psiと１０psiの間である請求項２６に記載の方法。
【請求項２８】  前記複数の精製エレメントが、約０．５μmより小さい空隙度を有するターミナルフィルタを備えている請求項２１に記載の方法。
【請求項２９】  前記精製された水が、約５００ppbより小さい総有機物含有量、約２．０μSiemensより小さい導電率、約４．５と７．５との間のｐＨ値、約１２粒子／mLより少ない１０μm超の粒子、約２粒子／mLより少ない２５μm超の粒子、及び０．０２５ng/mLより少ないエンドトキシンを有している請求項２１に記載の方法。
【請求項３０】  希釈剤インレット及び溶液アウトレットを有する単一ハウジング（該単一ハウジングは、コンプレッション部材を含む）及び乾燥形態の試薬を含む少なくとも１つの試薬ベッド（ここで、該試薬は、完全な透析液の製造のために十分な割合で存在する）を備えるシステム。
【請求項３１】  前記完全な透析溶液が血液透析液である、請求項３０に記載のシステム。
【請求項３２】  前記完全な透析溶液が腹膜透析液である、請求項３０に記載のシステム。
【請求項３３】  該コンプレッション部材が、該試薬の溶解に際して拡張し得る、請求項１に記載のシステム。
【請求項３４】  前記ハウジングが、約６インチ（１５．２４ｃｍ）〜約２４インチ（６０．９６ｃｍ）の高さ及び約１インチ（２．５４ｃｍ）〜約１２インチ（３０．４８ｃｍ）の直径である、請求項３０に記載のシステム。
【請求項３５】  該試薬が、該ハウジング内に互いに分離された少なくとも２つの不適合な成分を含む、請求項３０に記載のシステム。
【請求項３６】  該少なくとも２つの不適合な成分が、重炭酸塩とカルシウム塩を含む、請求項３５に記載のシステム。
【請求項３７】  該試薬が少なくとも１００リットルの透析液を製造するために十分である、請求項３４に記載のシステム。
【請求項３８】  該少なくとも２つの不適合な成分が１：１の割合で存在する、請求項３５に記載のシステム。
【請求項３９】  前記ハウジングが、重量希釈推進力を利用した該試薬の現場での溶解によって血液透析溶液の製造のために適した多数の試薬を収容するように設計される、請求項３０に記載のシステム。
【請求項４０】  該コンプレッション部材が、圧縮性フォーム部材を含む、請求項３０に記載のシステム。
【請求項４１】  該コンプレッション部材が、流体流路内に位置し、連続気泡圧縮性フォーム部材を含む、請求項３０に記載のシステム。
【請求項４２】  該コンプレッション部材が、コイルばねを含む、請求項３０に記載のシステム。
【請求項４３】  該試薬ベッドが、コンプレッション部材の上流とコンプレッション部材の下流の間で圧縮される、請求項３０に記載のシステム。
【請求項４４】  該試薬ベッドが、上流コンプレッション部材及び試薬ベッドの間に位置する試薬リストレイントと該下流コンプレッション部材及び該試薬ベッドの間に位置する下流試薬リストレイントの間に封じ込められた、請求項３０に記載のシステム。
【請求項４５】  水道水を、血液透析液のための水についてのＡＡＭＩ基準に精製するための水精製パックをさらに含む、請求項３０に記載のシステム。
【請求項４６】  水道水を、腹膜透析液のための水についてのＡＡＭＩ基準に精製するための水精製パックをさらに含む、請求項３０に記載のシステム。
【請求項４７】  水精製パックが、ハウジング希釈剤インレットに連結した、請求項４５に記載のシステム。
【請求項４８】  該コンプレッション部材が、第一試薬ベッドを第二試薬ベッドから隔離し、該第一及び第二試薬ベッドが不適合試薬を含む、請求項４５に記載のシステム。
【請求項４９】  該水精製パックが、重力の作用下で水を精製する、請求項４５に記載のシステム。
【請求項５０】  血液透析液の製造方法であって、以下：
希釈剤を乾燥試薬ベッドを通過させ、これによって該ベッド中で試薬を消費すること；
消費された試薬を希釈剤と共に該ベッドの外に運ぶこと；及び
該試薬が消費されるように該試薬ベッドを圧縮すること；
を含む方法。
【請求項５１】  希釈剤を通過させることが、希釈剤を試薬カートリッジハウジングインレットに導入することを含む、請求項５０に記載の方法。
【請求項５２】  該試薬ベッドを圧縮することが、２つの反対の方向から該試薬ベッドの上に圧力をかけることを含む、請求項５０に記載の方法。
【請求項５３】  該試薬ベッドを圧縮することが、該試薬が消費されるように、該ベッドの隣にコンプレッション部材を拡張することを含む、請求項５０に記載の方法。
【請求項５４】  該試薬が溶解されるように該試薬カートリッジ中の該試薬に圧縮力を同時にかけることを更に含む、請求項５３に記載の方法。
【請求項５５】  該コンプレッション部材が、連続的に該試薬ベッドに圧力をかける圧縮された弾性部材を含む、請求項５３に記載の方法。
【請求項５６】  該コンプレッション部材が、連続気泡フォームを含み、該希釈剤が該コンプレッション部材を通過する、請求項５３に記載の方法。
【請求項５７】  該希釈剤が精製水である、請求項５０に記載の方法。
【請求項５８】  該試薬を溶解することが、試薬を上流試薬ベッドから該精製水中へ溶解して部分溶液を形成すること、及び該試薬を完全な血液透析液を形成するために、下流試薬ベッドから該部分溶液中へ溶解することを含む、請求項５７に記載の方法。
【請求項５９】  該試薬を溶解することが、該試薬を上流試薬ベッドから精製水中へ、濃縮液を形成するために溶解することを含み、さらに、該濃縮液を１００リットルよりも多い容量に希釈することを含む、請求項５７に記載の方法。
【請求項６０】  該精製水を通す前に、有機物フィルター、イオン交換樹脂及び限外濾過膜を含む精製パックハウジングに水道水を通すことをさらに含む、請求項５０に記載の方法。
【請求項６１】  該精製水が、精製パックハウジングから試薬カートリッジハウジングに直接通される、請求項６０に記載の方法。
【請求項６２】  メディカル流体のための乾燥試薬を貯蔵及び運ぶデバイスであって、希釈剤インレット及び溶液アウトレットを備えた単一ハウジングを含む（該ハウジングは、コンプレッション部材及び少なくとも２つの別個の試薬ベッドを含む）。
【請求項６３】  該少なくとも２つの試薬ベッドが、透過性の内部リストレイントによって隔離され、該内部リストレイントは、希釈剤インレットを介した希釈剤の導入に際して溶液中の乾燥試薬の通過を可能にする、請求項６２に記載のデバイス。
【請求項６４】  該コンプレッション部材が、少なくとも二つの試薬ベッドの上流の上流ばねエレメントおよび該少なくとも２つの試薬ベッドの下流の下流ばねエレメントをさらに含む、請求項６３に記載のデバイス。
【請求項６５】  中間ばねエレメントを該少なくとも２つの試薬ベッドの間にさらに含む請求項６４に記載のデバイス。
【請求項６６】  該ばねエレメントの各々が、圧縮性フォーム部材を含む、請求項６５に記載のデバイス。
【請求項６７】  該少なくとも２つの試薬ベッドが、該コンプレッション部材によって隔離される、請求項６２に記載のデバイス。
【請求項６８】  該少なくとも２つの試薬ベッドが、第一ベッド中に重炭酸塩及び第二ベッド中にカルシウム塩を含む、請求項６２に記載のデバイス。
【請求項６９】  該少なくとも２つの試薬ベッドが、完全な透析液を製造するために十分な試薬を含む、請求項６８に記載のデバイス。
【請求項７０】  該透析液が、血液透析液である、請求項６９に記載のデバイス。
【請求項７１】  該透析液が、腹膜透析液である請求項６９に記載のデバイス。